【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
通信装置であって、
前記通信装置が外部装置から取得するデータを複数の候補の中からユーザが選択するための選択画面を表示する表示手段と、
ＮＦＣによる通信を用いて、前記通信装置と前記外部装置との間で無線接続を確立するための接続情報を前記外部装置から取得する第１の取得手段と、
前記接続情報に基づいて、前記通信装置と前記外部装置との間で前記無線接続を確立する確立手段と、
前記無線接続を介して、前記選択画面においてユーザに選択されたデータを前記外部装置から取得する第２の取得手段とを備え、
前記選択画面による前記外部装置から取得するデータの選択は、前記第１の取得手段が前記接続情報を前記外部装置から取得する前に完了することを特徴とする通信装置。
【請求項２】
前記第２の取得手段によるデータの取得が完了したことに応じて、前記通信装置と前記外部装置との間の前記無線接続を切断する切断手段を更に備えることを特徴とする請求項１に記載の通信装置。
【請求項３】
前記選択画面において前記外部装置から取得するデータの選択が完了したことに応じて、前記表示手段は、前記通信装置をＮＦＣタグにタッチすることを促すメッセージを表示することを特徴とする請求項１又は２に記載の通信装置。
【請求項４】
前記確立手段が確立する前記無線接続は、Ｗｉ−Ｆｉ Ｄｉｒｅｃｔ接続であることを特徴とする請求項１乃至３のいずれか１項に記載の通信装置。
【請求項５】
前記外部装置は印刷装置であり、
前記複数の候補には、ジャム履歴、エラー履歴、カウンタ情報、ログ情報のうち少なくとも１つが含まれることを特徴とする請求項１乃至４のいずれか１項に記載の通信装置。
【請求項６】
通信装置の制御方法であって、
前記通信装置が外部装置から取得するデータを複数の候補の中からユーザが選択するための選択画面を表示する表示ステップと、
前記選択画面による前記外部装置から取得するデータの選択が完了した後に、ＮＦＣによる通信を用いて、前記通信装置と前記外部装置との間で無線接続を確立するための接続情報を前記外部装置から取得する第１の取得ステップと、
前記接続情報に基づいて、前記通信装置と前記外部装置との間で前記無線接続を確立する確立ステップと、
前記無線接続を介して、前記選択画面においてユーザに選択されたデータを前記外部装置から取得する第２の取得ステップと
を有することを特徴とする通信装置の制御方法。
【請求項７】
前記第２の取得ステップにおいてデータの取得が完了したことに応じて、前記通信装置と前記外部装置との間の前記無線接続を切断する切断ステップを更に有することを特徴とする請求項６に記載の通信装置の制御方法。
【請求項８】
前記選択画面において前記外部装置から取得するデータの選択が完了したことに応じて、前記通信装置をＮＦＣタグにタッチすることを促すメッセージを表示する第２の表示ステップを更に有することを特徴とする請求項６又は７に記載の通信装置の制御方法。
【請求項９】
前記確立ステップにおいて確立する前記無線接続は、Ｗｉ−Ｆｉ Ｄｉｒｅｃｔ接続であることを特徴とする請求項６乃至８のいずれか１項に記載の通信装置の制御方法。
【請求項１０】
前記外部装置は印刷装置であり、
前記複数の候補には、ジャム履歴、エラー履歴、カウンタ情報、ログ情報のうち少なくとも１つが含まれることを特徴とする請求項６乃至９のいずれか１項に記載の通信装置の制御方法。
【請求項１１】
請求項６乃至１０のいずれか１項に記載の通信装置の制御方法の各ステップをコンピュータに実行させるためのプログラム。
【手続補正２】
【補正対象書類名】明細書
【補正対象項目名】発明の名称
【補正方法】変更
【補正の内容】
【発明の名称】通信装置及びその制御方法、並びにプログラム
【手続補正３】
【補正対象書類名】明細書
【補正対象項目名】０００１
【補正方法】変更
【補正の内容】
【０００１】
本発明は、通信装置及びその制御方法、並びにプログラムに関するものである。
【手続補正４】
【補正対象書類名】明細書
【補正対象項目名】０００７
【補正方法】変更
【補正の内容】
【０００７】
本発明の一態様に係る通信装置は、通信装置であって、前記通信装置が外部装置から取得するデータを複数の候補の中からユーザが選択するための選択画面を表示する表示手段と、ＮＦＣによる通信を用いて、前記通信装置と前記外部装置との間で無線接続を確立するための接続情報を前記外部装置から取得する第１の取得手段と、前記接続情報に基づいて、前記通信装置と前記外部装置との間で前記無線接続を確立する確立手段と、前記無線接続を介して、前記選択画面においてユーザに選択されたデータを前記外部装置から取得する第２の取得手段とを備え、前記選択画面による前記外部装置から取得するデータの選択は、前記第１の取得手段が前記接続情報を前記外部装置から取得する前に完了することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００４
【補正方法】変更
【補正の内容】
【０００４】
【特許文献１】特開２００４−３６４１４５号公報
【手続補正７】
【補正対象書類名】明細書
【補正対象項目名】００２３
【補正方法】変更
【補正の内容】
【００２３】
ＣＰＵ２０１は、エンジンＩ／Ｆ２０６を介してプリンタエンジン２０７と、スキャナＩ／Ｆ２０８を介してスキャナ２０９とデータ通信を行う。また、ＣＰＵ２０１は、システムバス２１９を介して操作パネル２１２とデータ通信を行う。また、ＣＰＵ２０１は、ＵＳＢ Ｉ／Ｆ２１５を介してＰＣ２１６と、ネットワークＩ／Ｆ２１７を介してＰＣ１０６と、ＦＡＸ Ｉ／Ｆ２１８を介してＦＡＸ装置１０９と通信可能である。
【手続補正８】
【補正対象書類名】明細書
【補正対象項目名】００４０
【補正方法】変更
【補正の内容】
【００４０】
操作画面８００には、ＭＦＰ１０１からデータの取得が完了したことを示すメッセージ８０１と、ＯＫボタン８０２とが表示される。操作画面８００においてＯＫボタン８０２がユーザによって押下されると、表示部３０６の表示は操作画面９００（図５）に切り替わる。操作画面９００は、ＭＦＰ１０１から追加として取得するデータがあるか否かをユーザが選択するための画面である。操作画面９００において、「はい」ボタン９０１がユーザによって押下された場合、表示部３０６の表示は操作画面４００（図４）に切り替わる。一方、「いいえ」ボタン９０２がユーザによって押下された場合、携帯端末１０２は、ＭＦＰ連携アプリケーションの実行を終了する。
【手続補正９】
【補正対象書類名】明細書
【補正対象項目名】００４５
【補正方法】変更
【補正の内容】
【００４５】
操作画面１５００には、ＭＦＰ１０１からデータの取得が完了したことを示すメッセージ１５０１と、ＯＫボタン１５０２とが表示される。操作画面１５００においてＯＫボタン１５０２が押下されると、表示部３０６の表示は操作画面９００（図５）に切り替わる。一方、ＭＦＰ１０１からデータを取得できなかった場合、表示部３０６の表示は操作画面１４００から操作画面１０００（図５）に切り替わる。
【手続補正１０】
【補正対象書類名】明細書
【補正対象項目名】００５０
【補正方法】変更
【補正の内容】
【００５０】
本実施形態では、携帯端末１０２は、ＮＦＣコントローラ３１３が有するＮＦＣリーダ機能を利用してＷｉ−Ｆｉ Ｄｉｒｅｃｔ接続情報をＮＦＣタグ１０５（の記憶領域）から読み取ることによって、ＭＦＰ１０１から取得する。具体的には、Ｓ１０３で、ＣＰＵ３０１は、ＮＦＣコントローラ３１３をリーダモードに設定する。なお、ＮＦＣコントローラ３１３は、ＮＦＣの通信モードとして、ライタモード（第１通信モード）、リーダモード（第２通信モード）、及びピアツーピア（Ｐ２Ｐ）モード（第３通信モード）の３つの通信モードで動作可能である。ライタモードは、外部装置へのデータの送信（書き込み）のみが可能な通信モードである。リーダモードは、外部装置からのデータの受信（読み取り）のみが可能な通信モードである。Ｐ２Ｐモードは、外部装置との間でデータの送受信（双方向の通信）が可能な通信モードである。
【手続補正１１】
【補正対象書類名】明細書
【補正対象項目名】００７７
【補正方法】変更
【補正の内容】
【００７７】
Ｓ３０１で、ＣＰＵ３０１は、ＮＦＣコントローラ３１３をＰ２Ｐモードに設定する。Ｐ２Ｐモードは、上述のように、外部装置との間でデータの送受信（双方向の通信）が可能な通信モードである。次に、Ｓ３０２で、ＣＰＵ３０１は、携帯端末１０２がユーザによってＭＦＰ１０１のＮＦＣタグ１０５に近づけられることによって、ＮＦＣコントローラ３１３がＮＦＣタグ１０５との間で、Ｐ２ＰモードでＮＦＣ通信を確立したか否かを判定する。Ｐ２ＰモードでＮＦＣ通信が確立したと判定すると（Ｓ３０２で「ＹＥＳ」）、ＣＰＵ３０１は、処理をＳ３０３に進める。